(57)【要約】【課題】部品供給テープをテープフィーダにセットする作業を行う際に該部品供給テープの部品の向きを判定できるようにする。【解決手段】フィーダセット治具１１に載置したテープフィーダ１３にセットされた部品供給テープ２４の部品吸着位置の部品収容部分（部品露出部分）をその上方からカメラ２５の視野に収めて撮像し、その画像を部品照合用コンピュータ３１で処理して部品供給テープ２４の部品の特徴部分を認識し、その認識結果に基づいて該部品の向きを判定する。ここで、画像認識する部品の特徴部分は、例えば、部品上面の文字列、記号、マーク、リード、方向性のある部品形状等、部品の向きを特定可能で且つ画像認識可能なものであれば何でも良い。【選択図】図１
2014241344.tif 000002
【特許請求の範囲】
【請求項１】
部品実装機に供給する部品が収容された部品供給テープをセットしたテープフィーダの部品向き確認システムにおいて、
前記部品供給テープを前記テープフィーダにセットする作業を行う際に該部品供給テープの部品の向きを判定する部品向き判定手段を備えていることを特徴とするテープフィーダの部品向き確認システム。
【請求項２】
前記部品実装機の動作を制御する制御装置は、前記部品向き判定手段の判定結果を取得して前記テープフィーダの部品供給テープの部品の向きが生産ジョブの指定通りであるか否かを判定して、該部品の向きが該生産ジョブの指定と異なる場合には、該部品を吸着ノズルに吸着する毎に、該部品の向きを該生産ジョブの指定と一致させるように該吸着ノズルを回転させて該部品の向きを補正することを特徴とする請求項１に記載のテープフィーダの部品向き確認システム。
【請求項３】
前記テープフィーダに前記部品供給テープをセットする作業を行う際に該テープフィーダを載置するフィーダセット治具と、
前記フィーダセット治具に載置した前記テープフィーダにセットされた部品供給テープの部品収容部分を視野に収めて撮像するカメラとを備え、
前記部品向き判定手段は、前記カメラで撮像した画像を処理して前記部品供給テープの部品の特徴部分を認識し、その認識結果に基づいて該部品の向きを判定することを特徴とする請求項１又は２に記載のテープフィーダの部品向き確認システム。
【請求項４】
前記カメラで撮像した画像を処理して、その処理結果に基づいて前記部品供給テープの送りピッチと部品送り位置の情報を取得する手段を備えていることを特徴とする請求項３に記載のテープフィーダの部品向き確認システム。
【請求項５】
前記部品供給テープが巻回されたテープリールには、該部品供給テープの部品を識別する部品識別情報が記録又は記憶された部品識別情報記録部が設けられ、
前記フィーダセット治具には、前記テープリールの部品識別情報記録部から前記部品識別情報を読み取る部品識別情報読取手段が設けられ、
前記カメラで撮像した画像を処理して前記部品供給テープの部品を認識し、その認識結果と前記部品識別情報読取手段により前記テープリールの部品識別情報記録部から読み取った部品識別情報とを照合して前記テープフィーダにセットした部品供給テープの部品が生産ジョブの指定通りであるか否かを判定する手段を備えていることを特徴とする請求項３又は４に記載のテープフィーダの部品向き確認システム。
【請求項６】
前記テープフィーダに前記部品供給テープをセットする作業を行う際に該テープフィーダを載置するフィーダセット治具を備え、
前記部品供給テープが巻回されたテープリールには、該部品供給テープの部品の向きに関する情報（以下「部品向き情報」という）が記録又は記憶された部品向き情報記録部が設けられ、
前記フィーダセット治具には、前記テープリールの部品向き情報記録部から前記部品向き情報を読み取る部品向き情報読取手段が設けられ、
前記部品向き判定手段は、前記部品供給テープを前記テープフィーダにセットする作業を行う際に前記部品向き情報読取手段により前記テープリールの部品向き情報記録部から読み取った部品向き情報に基づいて部品の向きが生産ジョブの指定通りであるか否かを判定する手段を備えていることを特徴とする請求項１又は２に記載のテープフィーダの部品向き確認システム。
【請求項７】
前記部品向き判定手段の判定結果が生産ジョブの指定と異なる場合に作業者に警告する警告手段を備えていることを特徴とする請求項１乃至７のいずれかに記載のテープフィーダの部品向き確認システム。
【発明の詳細な説明】
【技術分野】
【０００１】
本発明は、部品実装機に供給する部品が収容された部品供給テープをセットしたテープフィーダの部品向き確認システムに関する発明である。
【背景技術】
【０００２】
部品実装機に部品を供給するテープフィーダは、多数の部品を一列に収容した部品供給テープが巻回されたテープリールをセットして使用するようになっている。一般に、部品供給テープに収容されている部品の品種については、その情報をバーコードで記録したバーコードラベルをテープリールに貼着して、そのバーコードをバーコードリーダで読み取って部品の品種を確認するようにしているが、部品の向きについては作業者が目視で確認するようにしている。このため、部品の向きが生産ジョブの指定と異なっている場合でも、作業者が目視で見逃してしまう可能性がある。
【０００３】
そこで、特許文献１（特開２００４−３５６６０４号公報）に記載されているように、部品実装機に部品の向き（極性方向）を判定する部品向き検出装置を搭載したものがある。この部品向き検出装置は、部品実装機にセットしたテープフィーダの部品供給テープに収容された部品を、部品実装機のカメラで撮像して、該部品の上面の極性マークを画像認識して、該部品の向きを判定するようにしている。
【先行技術文献】
【特許文献】
【０００４】
【特許文献１】特開２００４−３５６６０４号公報
【発明の概要】
【発明が解決しようとする課題】
【０００５】
しかし、上記特許文献１では、部品実装機にテープフィーダをセットした後に該部品実装機のカメラで部品を撮像して該部品の向きを判定するようにしているため、テープフィーダに部品供給テープをセットする作業を行う際に部品の向きが生産ジョブの指定と異なっていることを作業者が目視で見逃してしまった場合には、部品実装機にテープフィーダをセットした後に該部品実装機の部品向き検出装置によって部品の向きが生産ジョブの指定と異なっていることが判明することになる。このような場合は、部品実装機からテープフィーダを取り外して、該テープフィーダにセットされているテープリール（部品供給テープ）を交換してから該テープフィーダを部品実装機に再セットするという手間のかかる作業を行う必要があり、面倒である。
【課題を解決するための手段】
【０００６】
請求項１に係る発明は、部品実装機に供給する部品が収容された部品供給テープをセットしたテープフィーダの部品向き確認システムにおいて、前記部品供給テープを前記テープフィーダにセットする作業を行う際に該部品供給テープの部品の向きを判定する部品向き判定手段を備えた構成としたものである。この構成では、部品供給テープをテープフィーダにセットする作業を行う際に該部品供給テープの部品の向きを部品向き判定手段により判定できるため、部品実装機にテープフィーダをセットする前に部品向き判定手段の判定結果によって作業者がテープフィーダにセットした部品供給テープの部品の向きを容易に確認することができる。これにより、部品供給テープをテープフィーダにセットする作業を行う際に部品の向きが生産ジョブの指定と異なることが判明した場合には、部品実装機にテープフィーダをセットする前に、テープフィーダにセットされている部品供給テープを交換して部品の向きを生産ジョブの指定と一致させてから部品実装機にテープフィーダをセットするという簡単な作業を行うだけで良く、作業性を向上できる。
【０００７】
この場合、請求項２のように、部品実装機の動作を制御する制御装置は、前記部品向き判定手段の判定結果を取得してテープフィーダの部品供給テープの部品の向きが生産ジョブの指定通りであるか否かを判定して、該部品の向きが該生産ジョブの指定と異なる場合には、該部品を吸着ノズルに吸着する毎に、該部品の向きを該生産ジョブの指定と一致させるように該吸着ノズルを回転させて該部品の向きを補正するようにしても良い。このようにすれば、部品供給テープをテープフィーダにセットする作業を行う際に部品の向きが生産ジョブの指定と異なることが判明した場合でも、テープフィーダにセットされている部品供給テープを交換することなく、該テープフィーダを部品実装機にセットして生産を開始することが可能となり、生産開始後に補正動作により部品の向きを生産ジョブの指定と一致させて該部品を回路基板に正しい向きで実装することができ、部品の向きの間違いに起因する不良品の生産を防止できる。この場合は、吸着ノズルに部品を吸着する毎に、該部品の向きを生産ジョブの指定と一致させるように該吸着ノズルを回転させて該部品の向きを補正する必要があり、その補正動作の分だけ部品吸着から実装までの時間が長くなって生産性が低下する懸念がある。従って、このような生産性低下を回避するには、部品供給テープをテープフィーダにセットする作業を行う際に部品の向きが生産ジョブの指定と異なることが判明した場合は、テープフィーダにセットされている部品供給テープを交換して部品の向きを生産ジョブの指定と一致させてから部品実装機にテープフィーダをセットすることが望ましい。このようにすれば、吸着ノズルに部品を吸着する毎に部品向きの補正動作を行う必要がなく、生産性の低下を回避できる。
【０００８】
本発明は、請求項３のように、テープフィーダに部品供給テープをセットする作業を行う際に該テープフィーダを載置するフィーダセット治具と、該フィーダセット治具に載置したテープフィーダにセットされた部品供給テープの部品収容部分を視野に収めて撮像するカメラとを備え、前記部品向き判定手段は、前記カメラで撮像した画像を処理して前記部品供給テープの部品の特徴部分を認識し、その認識結果に基づいて該部品の向きを判定するようにしても良い。ここで、画像認識する部品の特徴部分は、例えば、部品上面の文字列、記号、マーク、リード、方向性のある部品形状等、部品の向きを特定可能で且つ画像認識可能なものであれば何でも良い。このようにすれば、画像処理技術を用いて部品の向きを精度良く判定することができる。
【０００９】
更に、請求項４のように、カメラで撮像した画像を処理して、その処理結果に基づいて部品供給テープの送りピッチ（部品配列ピッチ）と部品送り位置（部品供給テープのスプロケット孔の位置に対する部品の相対的な位置）の情報を取得するようにしても良い。このようにすれば、テープフィーダに部品供給テープをセットする作業を行う際に部品供給テープの送りピッチと部品送り位置が生産ジョブの指定通りであるか否かについても確認することができる。
【００１０】
また、本発明は、請求項５のように、部品供給テープが巻回されたテープリールには、該部品供給テープの部品を識別する部品識別情報が記録又は記憶された部品識別情報記録部が設けられ、フィーダセット治具には、前記テープリールの部品識別情報記録部から前記部品識別情報を読み取る部品識別情報読取手段が設けられ、前記カメラで撮像した画像を処理して前記部品供給テープの部品を認識し、その認識結果と前記部品識別情報読取手段により前記テープリールの部品識別情報記録部から読み取った部品識別情報とを照合して前記テープフィーダにセットした部品供給テープの部品が生産ジョブの指定通りであるか否かを判定するようにしても良い。ここで、部品識別情報記録部は、部品識別情報をバーコード、２次元コード等で記録したコードラベル等を用いても良いし、部品識別情報のデータを記憶した電子タグ（ＲＦタグ、ＩＣタグ、電波タグ、無線タグとも呼ばれる）を用いても良い。このようにすれば、画像処理による部品認識結果とテープリールの部品識別情報記録部から読み取った部品識別情報とによって、該テープリールに巻回された部品供給テープの部品の品種を２重チェックすることができ、作業ミスによる部品供給テープの付け間違いを確実に防止できる。
【００１１】
また、本発明は、請求項６のように、テープフィーダに部品供給テープをセットする作業を行う際に該テープフィーダを載置するフィーダセット治具を備え、前記テープリールには、該テープリールに巻回された部品供給テープの部品の向きに関する情報（以下「部品向き情報」という）が記録又は記憶された部品向き情報記録部が設けられ、前記フィーダセット治具には、前記テープリールの部品向き情報記録部から前記部品向き情報を読み取る部品向き情報読取手段が設けられ、前記部品向き判定手段は、前記部品供給テープを前記テープフィーダにセットする作業を行う際に前記部品向き情報読取手段により前記テープリールの部品向き情報記録部から読み取った部品向き情報に基づいて部品の向きが生産ジョブの指定通りであるか否かを判定するようにしても良い。ここで、部品向き情報記録部は、部品向き情報をバーコード、２次元コード等で記録したコードラベル等を用いても良いし、部品向き情報のデータを記憶した電子タグ（ＲＦタグ、ＩＣタグ、電波タグ、無線タグとも呼ばれる）を用いても良い。このようにすれば、フィーダセット治具に画像処理装置が搭載されていない場合でも、テープリールに巻回された部品供給テープの部品の向きを確認することができる。
【００１２】
本発明は、請求項７のように、部品向き判定手段の判定結果が生産ジョブの指定と異なる場合に警告手段によって作業者に警告するようにしても良い。このようにすれば、テープフィーダに部品供給テープをセットする作業を行う際に部品の向きが生産ジョブの指定と異なっていることが判明した場合に、それを確実に作業者に知らせることができる。
【図面の簡単な説明】
【００１３】
【図１】図１は本発明の実施例１におけるフィーダセット治具にテープフィーダを載置する作業を説明する斜視図である。
【図２】図２はフィーダセット治具の斜視図である。
【図３】図３はフィーダセット治具に付属する部品照合装置の構成を示すブロック図である。
【図４】図４（ａ）は部品の向きが生産ジョブの指定通りの場合の部品の拡大平面図、同図（ｂ）は部品の向きが生産ジョブの指定とは異なる場合の部品の拡大平面図である。
【図５】図５は部品向き判定プログラムの処理の流れを示すフローチャートである。
【図６】図６は本発明の実施例２におけるフィーダセット治具にテープフィーダを載置する作業を説明する斜視図である。
【発明を実施するための形態】
【００１４】
以下、本発明を実施するための形態を具体化した２つの実施例１，２を説明する。
【実施例１】
【００１５】
本発明の実施例１を図１乃至図５に基づいて説明する。
まず、図１及び図２に基づいてフィーダセット治具１１の構成を説明する。
フィーダセット治具１１のベース台１２の上面には、テープフィーダ１３を載置するフィーダセット台１４が設けられている。フィーダセット台１４の上面には、テープフィーダ１３を縦置き支持するための断面逆Ｔ字溝形のガイド溝１５が設けられ、テープフィーダ１３の下面側に設けられた断面逆Ｔ字形のガイドレール（図示せず）を手前側からガイド溝１５に差し込むことで、フィーダセット台１４上にテープフィーダ１３が縦置き状態に支持され、テープフィーダ１３の先端面の位置決めピン２０がフィーダセット台１４の位置決め穴２１に差し込まれることで、フィーダセット台１４上でテープフィーダ１３の取付位置が位置決めされると共に、テープフィーダ１３の先端面のコネクタ２２がフィーダセット台１４のコネクタ１８に差し込み接続されることで、テープフィーダ１３に電源が供給される。これにより、作業者がテープフィーダ１３のテープ送り操作部を操作することで、テープフィーダ１３にセットしたテープリール２３から部品供給テープ２４を引き出して部品吸着位置へピッチ送り動作できるようになっている。
【００１６】
フィーダセット治具１１は、該フィーダセット治具１１に載置したテープフィーダ１３にセットされた部品供給テープ２４の部品吸着位置の部品収容部分（部品供給テープ２４のカバーテープが剥離されて部品が露出した部分）をその上方から視野に収めて撮像するカメラ２５を備えている。フィーダセット治具１１には、カメラ２５をＸＹ方向（前後左右方向）に移動させるＸＹスライド２６が設けられ、このＸＹスライド２６にカメラ２５が下向きに支持されている。このＸＹスライド２６は、送りねじ機構等により構成され、そのＸＹ移動量を作業者が手動操作するようにしても良いし、モータで駆動するようにしても良い。
【００１７】
カメラ２５で撮像した画像データは、部品照合用コンピュータ３１（図３参照）に取り込まれる。部品照合用コンピュータ３１には、キーボード、マウス、タッチパネル等の入力装置３２と、各種情報を表示する表示装置３３と、各種プログラムやデータを記憶する記憶装置３４と、テープリール２３に貼着されたバーコードラベル３５（部品識別情報記録部）のバーコードを読み取るバーコードリーダ３６（部品識別情報読取手段）等が接続されている。テープリール２３のバーコードラベル３５には、該テープリール２３に巻回された部品供給テープ２４の部品を識別する部品識別情報（以下「部品ＩＤ」と表記する）がバーコードで記録されている。部品ＩＤの記録方法は、バーコードに限定されず、２次元コード等で記録しても良い。或は、部品ＩＤのデータを記憶した電子タグ（ＲＦタグ、ＩＣタグ、電波タグ、無線タグとも呼ばれる）を用いても良い。電子タグを用いる場合は、電子タグと通信可能なリーダを部品識別情報読取手段として用いれば良い。
【００１８】
この部品ＩＤをバーコードリーダ３６等の部品識別情報読取手段で読み取ることで、テープリール２３に巻回された部品供給テープ２４の部品種を確認できるが、該部品供給テープ２４の部品の向き（極性方向）は確認できない。
【００１９】
そこで、本実施例１では、フィーダセット治具１１に載置したテープフィーダ１３にセットされた部品供給テープ２４の部品吸着位置の部品収容部分（部品露出部分）をその上方からカメラ２５の視野に収めて撮像し、その画像を部品照合用コンピュータ３１で処理して部品供給テープ２４の部品の特徴部分を認識し、その認識結果に基づいて該部品の向きを判定するようにしている。ここで、画像認識する部品の特徴部分は、例えば、部品上面の文字列、記号、マーク、リード、方向性のある部品形状等、部品の向きを特定可能で且つ画像認識可能なものであれば何でも良い。
【００２０】
本実施例１では、部品上面の文字列を画像認識して該部品の向きを判定する手法について説明する。予め、テープリール２３に巻回された部品供給テープ２４の部品の向きを特定する文字列（図４に「ＡＢＣ」で例示）のデータを含む画像認識用部品データが部品ＩＤと関連付けられて記憶装置３４に記憶されている。そして、部品照合用コンピュータ３１によってフィーダセット治具１１に載置したテープフィーダ１３にセットされた部品供給テープ２４の部品上面の文字列を画像認識して、その文字列を、該部品の部品ＩＤの画像認識用部品データの文字列と照合して、両者の向きが一致すれば、部品の向きが生産ジョブの指定通りであると判定し、両者の向きが異なれば、部品の向きが生産ジョブの指定と異なると判定する。また、画像認識した文字列が画像認識用部品データの文字列と異なる場合は、部品の品種が生産ジョブの指定と異なると判定する。これらの判定結果は、表示装置３３に表示され、作業者に知らされる。部品の向きや品種が生産ジョブの指定と異なる場合は、それを表示装置３３の表示や音声によって作業者に警告して、テープフィーダ１３にセットされている部品供給テープ２４（テープリール２３）を交換するように促す。
【００２１】
また、部品の向きが生産ジョブの指定と異なる場合は、テープフィーダ１３にセットされている部品供給テープ２４（テープリール２３）を交換しても良いし、部品供給テープ２４を交換することなく、該テープフィーダ１３を部品実装機（図示せず）にセットして生産を開始しても良い。この場合は、部品照合用コンピュータ３１の部品向きの判定結果が部品実装機の制御装置（図示せず）へ送信され、供給する部品の向きが生産ジョブの指定と異なることが部品実装機の制御装置に通知される。これにより、部品実装機の制御装置は、生産開始後に部品供給テープ２４の部品を吸着ノズルに吸着する毎に、該部品の向きを生産ジョブの指定と一致させるように該吸着ノズルを回転させて該部品の向きを補正して回路基板に実装する。
【００２２】
以上説明した本実施例１の部品向き判定の処理は、部品照合用コンピュータ３１（部品向き判定手段）によって図５の部品向き判定プログラムに従って次のように実行される。図５の部品向き判定プログラムが起動されると、まず、ステップ１０１で、フィーダセット治具１１へのテープフィーダ１３のセット作業が完了したか否かを判定し、セット作業が完了するまで待機する。このセット作業では、作業者がテープリール２３に貼着されたバーコードラベル３５をバーコードリーダ３６で走査して部品ＩＤを読み取ると共に、該テープリール２３をテープフィーダ１３に装着して部品供給テープ２４をテープフィーダ１３にセットして、該テープフィーダ１３をフィーダセット治具１１のフィーダセット台１４に縦置き状態に載置して、テープフィーダ１３の先端面のコネクタ２２をフィーダセット台１４のコネクタ１８に差し込み接続して、テープフィーダ１３に電源を供給する。尚、テープリール２３をテープフィーダ１３にセットする作業は、テープフィーダ１３をフィーダセット治具１１のフィーダセット台１４にセットした状態で行うようにしても良い。また、作業者がセット作業完了後に入力装置３２（セット作業完了スイッチ等）を操作してセット作業完了の信号を部品照合用コンピュータ３１に入力するようにしても良い。
【００２３】
上記ステップ１０１で、フィーダセット治具１１へのテープフィーダ１３のセット作業が完了したと判定された時点で、ステップ１０２に進み、フィーダセット治具１１に載置したテープフィーダ１３にセットされた部品供給テープ２４の部品吸着位置の部品収容部分（部品露出部分）をその上方からカメラ２５の視野に収めて撮像して、その画像データを部品照合用コンピュータ３１に取り込む。
【００２４】
この後、ステップ１０３に進み、部品照合用コンピュータ３１に取り込んだ画像データを処理して部品供給テープ２４の部品上面の文字列を画像認識した後、ステップ１０４に進み、上記セット作業時に読み取った部品ＩＤの画像認識用部品データの文字列を記憶装置３４から読み込む。
【００２５】
この後、ステップ１０５に進み、画像認識した文字列が画像認識用部品データの文字列と一致するか否か（文字列の向きは問わない）を判定し、両者の文字列が一致しないと判定されれば、ステップ１１２に進み、部品供給テープ２４の部品が生産ジョブの指定と異なる（つまり間違った部品の部品供給テープ２４がセットされている）と判定する。このような文字列の不一致が発生する原因は、例えば、テープリール２３に貼着するバーコードラベル３５の貼り間違えや、作業者がテープスプライシングによって間違った部品ＩＤの部品供給テープ２４をテープリール２３の部品供給テープ２４に継ぎ合わせた場合や、作業者が間違った部品ＩＤの部品供給テープ２４をテープリール２３に巻回した場合に発生する。
【００２６】
上記ステップ１０５で、画像認識した文字列が画像認識用部品データの文字列と一致しないと判定されれば、ステップ１１２に進み、部品供給テープ２４の部品の品種が生産ジョブの指定と異なると判定する。この場合は、ステップ１１３に進み、間違った部品の部品供給テープ２４がセットされていることを、表示装置３３の表示や音声によって作業者に警告して、テープフィーダ１３にセットされている部品供給テープ２４（テープリール２３）を交換するように促す。そして、次のステップ１１４で、作業者が部品供給テープ２４を交換するまで待機し、作業者が部品供給テープ２４を交換して再セット作業を完了した時点で、上述したステップ１０２〜１０５の処理を再度実行して、交換した部品供給テープ２４の部品上面の文字列を画像認識して画像認識用部品データの文字列と一致するか否かを判定する処理を繰り返す。
【００２７】
その後、ステップ１０５で、画像認識した文字列が画像認識用部品データの文字列と一致すると判定されれば、ステップ１０６に進み、画像認識した文字列の向きが画像認識用部品データの文字列の向きと一致するか否かを判定する。その結果、両者の文字列の向きが一致すると判定されれば、ステップ１０７に進み、部品供給テープ２４の部品の向きが生産ジョブの指定通りと判定して［図４（ａ）参照］、本プログラムを終了する。
【００２８】
これに対し、上記ステップ１０６で、画像認識した文字列の向きが画像認識用部品データの文字列の向きと一致しないと判定されれば、ステップ１０８に進み、図４（ｂ）に示すように、部品供給テープ２４の部品の向きが生産ジョブの指定と異なると判定する。この場合は、ステップ１０９に進み、部品の向きが生産ジョブの指定と異なっていることを、表示装置３３の表示や音声によって作業者に警告して、テープフィーダ１３にセットされている部品供給テープ２４（テープリール２３）を交換するように促す。このステップ１０９の処理が特許請求の範囲でいう警告手段としての役割を果たす。この後、ステップ１１０に進み、部品供給テープ２４を交換するか否かを表示装置３３に表示して作業者に問い合わせる。その結果、作業者が入力装置３２を操作して、「部品供給テープ２４を交換する」を選択すれば、上述したステップ１０１以降の処理を再度実行して、交換した部品供給テープ２４の部品上面の文字列を画像認識して、部品上面の文字列の向きが画像認識用部品データの文字列の向きと一致するか否かを判定する処理を繰り返す。
【００２９】
一方、上述したステップ１１０で、作業者が「部品供給テープ２４を交換しない」を選択した場合は、ステップ１１１に進み、部品向きの判定結果を部品実装機の制御装置へ送信して、供給する部品の向きが生産ジョブの指定と異なっていることを部品実装機の制御装置に通知する。これにより、部品実装機の制御装置は、生産開始後に部品を吸着ノズルに吸着する毎に、該部品の向きを生産ジョブの指定と一致させるように該吸着ノズルを回転させて該部品の向きを補正して回路基板に実装する。
【００３０】
以上説明した本実施例１によれば、部品供給テープ２４（テープリール２３）をテープフィーダ１３にセットする作業を行う際に、該部品供給テープ２４の部品の向きを画像処理により判定できるため、部品実装機にテープフィーダ１３をセットする前にフィーダセット治具１１上で部品を向きを自動判定して作業者がテープフィーダ１３にセットした部品供給テープ２４の部品の向きを容易に確認することができる。これにより、部品供給テープ２４をテープフィーダ１３にセットする作業を行う際に部品の向きが生産ジョブの指定と異なることが判明した場合には、部品実装機にテープフィーダ１３をセットする前に、テープフィーダ１３にセットされている部品供給テープ２４（テープリール２３）を交換して部品の向きを生産ジョブの指定と一致させてから部品実装機にテープフィーダ１３をセットするという簡単な作業を行うだけで良く、作業性を向上できる。
【００３１】
しかも、本実施例１では、部品供給テープ２４をテープフィーダ１３にセットする作業を行う際に、該部品供給テープ２４の部品の向きが生産ジョブの指定と異なっていることが判明しても、作業者が「部品供給テープ２４を交換しない」を選択した場合は、部品向きの判定結果を部品実装機の制御装置へ送信して、供給する部品の向きが生産ジョブの指定と異なることを部品実装機の制御装置に通知して、生産開始後に部品を吸着ノズルに吸着する毎に、該部品の向きを生産ジョブの指定と一致させるように該吸着ノズルを回転させて該部品の向きを補正して回路基板に実装するようにしたので、部品供給テープ２４をテープフィーダ１３にセットする作業を行う際に部品の向きが生産ジョブの指定と異なることが判明した場合でも、テープフィーダ１３にセットされている部品供給テープ２４を交換することなく、該テープフィーダ１３を部品実装機にセットして生産を開始することが可能となり、生産開始後に補正動作により部品の向きを生産ジョブの指定と一致させて該部品を回路基板に正しい向きで実装することができ、部品の向きの間違いに起因する不良品の生産を防止できる。
【００３２】
この場合は、吸着ノズルに部品を吸着する毎に、該部品の向きを生産ジョブの指定と一致させるように該吸着ノズルを回転させて該部品の向きを補正する必要があり、その補正動作の分だけ部品吸着から実装までの時間が長くなって生産性が低下する懸念がある。従って、このような生産性低下を回避するには、部品供給テープ２４をテープフィーダ１３にセットする作業を行う際に部品の向きが生産ジョブの指定と異なることが判明した場合は、テープフィーダ１３にセットされている部品供給テープ２４（テープリール２３）を交換して部品の向きを生産ジョブの指定と一致させてから部品実装機にテープフィーダ１３をセットすることが望ましい。このようにすれば、吸着ノズルに部品を吸着する毎に部品向きの補正動作を行う必要がなく、生産性の低下を回避できる。
【００３３】
更に、本実施例１において、次のような部品照合機能を追加しても良い。この部品照合機能は、カメラ２５で撮像した画像を処理して部品供給テープ２４の部品を認識し、その認識結果とバーコードリーダ３６によりテープリール２３のバーコードラベル３５から読み取った部品ＩＤとを照合して、テープフィーダ１３にセットした部品供給テープ２４の部品が生産ジョブの指定通りであるか否かを判定する。このようにすれば、画像処理による部品認識結果とテープリール２３のバーコードラベル３５から読み取った部品ＩＤとによって、該テープリール２３に巻回された部品供給テープ２４の部品の品種を２重チェックすることができ、作業ミスによる部品供給テープ２４の付け間違いを確実に防止することができる。
【００３４】
更に、テープフィーダ１３にセットされた部品供給テープ２４の部品をカメラ２５で撮像して、その画像を処理して、その処理結果に基づいて部品供給テープ２４の送りピッチ（部品配列ピッチ）と部品送り位置（部品供給テープ２４のスプロケット孔の位置に対する部品の相対的な位置）の情報を取得するようにしても良い。テープリール２３のバーコードラベル３５等の部品識別情報記録部に、部品ＩＤの他に、生産ジョブで指定された部品供給テープ２４の送りピッチと部品送り位置の情報を記録又は記憶しておき、画像処理で取得した送りピッチと部品送り位置と、テープリール２３のバーコードラベル３５等の部品識別情報記録部から読み取った送りピッチと部品送り位置とを照合してテープフィーダ１３にセットした部品供給テープ２４の送りピッチと部品送り位置が生産ジョブの指定通りであるか否かを判定するようにしても良い。このようにすれば、テープフィーダ１３に部品供給テープ２４をセットする作業を行う際に部品供給テープ２４の送りピッチと部品送り位置が生産ジョブの指定通りであるか否かについても確認することができる。
【００３５】
また、部品供給テープ２４の送りピッチと部品送り位置が生産ジョブの指定と異なっている場合に、画像処理で取得した送りピッチと部品送り位置の情報をテープフィーダ１３の制御装置（又は部品実装機の制御装置）へ送信して、テープフィーダ１３のテープ送り動作の送りピッチと部品送り位置を補正するようにしても良い。このようにすれば、部品供給テープ２４の送りピッチと部品送り位置が生産ジョブの指定とは異なっている場合でも、テープフィーダ１３が部品供給テープ２４の部品を正確に部品吸着位置へピッチ送りすることができ、送りピッチや部品送り位置のずれによる部品吸着ミスの発生を防止できる。
【実施例２】
【００３６】
次に、図６を用いて本発明の実施例２を説明する。但し、上記実施例１と実質的に同じ部分については同一符号を付して説明を省略又は簡略化し、主として異なる部分について説明する。
【００３７】
上記実施例１では、テープフィーダ１３にセットされた部品供給テープ２４の部品をカメラ２５で撮像して該部品の特徴部分（文字列等）を画像認識して該部品の向きを判定するようにしたが、本発明の実施例２では、画像処理機能を用いずに部品の向きを判定するために、テープリール２３に、部品識別情報記録部及び部品向き情報記録部として機能する情報記録部４１が設けられている。この情報記録部４１には、テープリール２３に巻回された部品供給テープ２４の部品を識別する部品ＩＤと、該部品供給テープ２４の部品の向きに関する情報（以下「部品向き情報」という）とが記録又は記憶されている。更に、情報記録部４１には、部品供給テープ２４の送りピッチ、部品送り位置、フィーダ幅等も記録又は記憶されている。情報記録部４１は、部品ＩＤと部品向き情報等をバーコード、２次元コード等で記録したコードラベル等を用いても良いし、部品ＩＤと部品向き情報等のデータを記憶した電子タグ（ＲＦタグ、ＩＣタグ、電波タグ、無線タグとも呼ばれる）を用いても良い。
【００３８】
一方、フィーダセット治具１１には、テープリール２３の情報記録部４１から部品ＩＤと部品向き情報を読み取るリーダ４２（部品識別情報読取手段，部品向き情報読取手段）が設けられている。リーダ４２は、情報記録部４１がバーコード、２次元コード等のコードラベルである場合は、バーコードリーダ等のコードリーダを用いれば良く、情報記録部４１が電子タグである場合は、電子タグと通信可能なリーダを用いれば良い。リーダ４２による部品ＩＤと部品向き情報等の読み取りは、作業者が手作業で行っても良いし、リーダ４２をフィーダセット治具１１に固定しておき、フィーダセット治具１１にテープフィーダ１３をセットしたときに、リーダ４２がテープリール２３の情報記録部４１に対向して自動的に部品ＩＤと部品向き情報を読み取るようにしても良い。
【００３９】
本実施例２では、部品供給テープ２４をテープフィーダ１３にセットする作業を行う際に、リーダ４２によりテープリール２３の情報記録部４１から部品供給テープ２４の部品ＩＤ、部品向き情報、送りピッチ、部品送り位置、フィーダ幅等を読み取って、これらの情報を部品実装機の制御装置（又は生産ラインの生産管理コンピュータ）に送信して、部品供給テープ２４の部品の向き、送りピッチ、部品送り位置、フィーダ幅等が生産ジョブの指定通りであるか否かを判定する。或は、部品実装機の制御装置（又は生産ラインの生産管理コンピュータ）から部品照合用コンピュータ３１に生産ジョブの指定データを送信して、部品照合用コンピュータ３１で、テープリール２３の情報記録部４１から読み取った部品ＩＤ、部品向き情報、送りピッチ、部品送り位置、フィーダ幅等が生産ジョブの指定通りであるか否かを判定するようにしても良い。その結果、部品供給テープ２４の部品の向き、送りピッチ、部品送り位置、フィーダ幅等のいずれかが生産ジョブの指定と異なることが判明した場合は、それを表示装置３３の表示や音声によって作業者に警告して、テープフィーダ１３にセットされている部品供給テープ２４（テープリール２３）を交換するように促す。或は、部品供給テープ２４の部品の向き、送りピッチ、部品送り位置、フィーダ幅等のいずれかが生産ジョブの指定と異なることが判明しても、作業者が「部品供給テープ２４を交換しない」を選択した場合は、判定結果を部品実装機の制御装置へ送信して、生産ジョブの指定と異なることを部品実装機の制御装置やテープフィーダ１３の制御装置に通知して、部品供給テープ２４の部品の向き、送りピッチ、部品送り位置等を生産ジョブの指定と一致させるように部品実装機の実装動作やテープフィーダ１３のテープ送り動作を修正する。
【００４０】
以上説明した本実施例２では、テープリール２３の情報記録部４１に部品ＩＤと部品向き情報を記録又は記憶するようにしたので、フィーダセット治具１１に画像処理装置が搭載されていない場合でも、テープリール２３に巻回された部品供給テープ２４の部品の向きを確認することができ、前記実施例１と同様の効果を得ることができる。
【００４１】
尚、本発明は、上記各実施例１，２の構成に限定されず、例えば、フィーダセット治具１１の構成を適宜変更しても良い等、要旨を逸脱しない範囲内で種々変更して実施できることは言うまでもない。
【符号の説明】
【００４２】
１１…フィーダセット治具、１３…テープフィーダ、１４…フィーダセット台、２３…テープリール、２４…部品供給テープ、２５…カメラ、２６…ＸＹスライド、３１…部品照合用コンピュータ（部品向き判定手段）、３２…入力装置、３３…表示装置、３４…記憶装置、３５…バーコードラベル（部品識別情報記録部）、３６…バーコードリーダ（部品識別情報読取手段）、４１…情報記録部（部品識別情報記録部，部品向き情報記録部）、４２…リーダ（部品識別情報読取手段，部品向き情報読取手段）
【図１】
2014241344.tif 000003
【図２】
2014241344.tif 000004
【図３】
2014241344.tif 000005
【図４】
2014241344.tif 000006
【図５】
2014241344.tif 000007
【図６】
2014241344.tif 000008